(57)【特許請求の範囲】
【請求項１】
複数枚の支持シートが積層されて貼着され、前記複数枚の支持シートが２枚の表面シートに挟み込まれて貼着され、折り部によって折り畳み可能に構成された積層シートにおいて、
前記複数枚の支持シートは、前記折り部にて２つの領域にそれぞれ分割され、該分割された２つの領域の間隔が、折り畳み状態にて外側となる支持シートの方が折り畳み状態にて内側となる支持シートよりも広いことを特徴とする積層シート。
【発明の詳細な説明】
【技術分野】
【０００１】
本発明は、複数枚のシートが積層され、折り部にて折り畳み可能に構成された積層シートに関し、特に、その折り部の構造に関する。
【背景技術】
【０００２】
従来より、シートを折り畳み可能とするためにシートに折り部を設ける場合、シートの一方の側から折り部に沿って圧力をかける、いわゆる筋押し加工が施される（例えば、特許文献１〜３参照。）。筋押し加工が施されたシートは、折り部に沿って一方の側が凸状、他方の側が凹状となり、折り畳み可能となる。
【０００３】
このような筋押し加工においては、複数枚のシートが積層されたものに対しても折り部を形成する場合に有効である。
【０００４】
図８は、複数枚のシートが積層され、筋押し加工が施された積層シートの従来例を示す図であり、（ａ）は表面図、（ｂ）は断面図である。
【０００５】
本従来例は図８に示すように、第１紙片領域５０２と第２紙片領域５０３とが、筋押し加工によって形成された折り部５０４を介して折り畳み可能に連接して構成されている。第１紙片領域５０２及び第２紙片領域５０３は、２枚の支持シート５２０ａ，５２０ｂが積層されて貼着され、この２枚の支持シート５２０ａ，５２０ｂを挟み込むように２枚の表面シート５１０ａ，５１０ｂが積層されて貼着された構成となっている。また、２枚の支持シート５２０ａ，５２０ｂのうち、折り畳み状態にて外側となる支持シート５２０ｂは折り部５０４にて２つに分割されている。
【０００６】
上記のように構成された積層シートにおいては、２枚の支持シート５２０ａ，５２０ｂのうち折り畳み状態にて外側となる支持シート５２０ｂが折り部５０４にて２つに分割されているとともに、表面シート５１０ａ，５１０ｂ及び支持シート５２０ａに筋押し加工によって折り部５０４が形成されていることにより、支持シート５２０ａ，５２０ｂの厚さを、積層シート５０１全体の強度を確保するために十分な程度のものとした場合であっても、折り部５０４にて容易に折り畳むことができる。
【特許文献１】特開２００５−２４６７６０号公報
【特許文献２】特開２００３−１５９８８３号公報
【特許文献３】特開２００２−９１３１１号公報
【発明の開示】
【発明が解決しようとする課題】
【０００７】
しかしながら、上述したように筋押し加工によって折り部を形成するものにおいては、折り部に沿って一方の側が凸状、他方の側が凹状となるため、製品外観を損なうことになる。特に、折り部に跨るように情報が記載される場合は、その情報が歪んで見難くなってしまう。
【０００８】
そこで、筋押し加工を施さずに折り部を形成すれば上述したような問題点は解決することになるが、上述したもののように、積層シート全体に所定の強度を持たせることができる程度の厚さを有する支持シートを用いた場合、筋押し加工を施さずに折り畳み可能に構成することは困難である。
【０００９】
図９は、複数枚のシートが積層され、筋押し加工を施さずに折り畳み可能に構成された積層シートの従来例を示す図であり、（ａ）は表面図、（ｂ）は断面図、（ｃ）は折り畳み状態における断面図、（ｄ）は折り畳み状態から見開いた状態における断面図である。
【００１０】
本従来例は図９に示すように、第１紙片領域６０２と第２紙片領域６０３とが折り部６０４を介して折り畳み可能に連接して構成されている。第１紙片領域６０２及び第２紙片領域６０３は、２枚の支持シート６２０ａ，６２０ｂが積層されて貼着され、この２枚の支持シート６２０ａ，６２０ｂを挟み込むように２枚の表面シート６１０ａ，６１０ｂが積層されて貼着された構成となっている。また、２枚の支持シート６２０ａ，６２０ｂは、折り部６０４にてそれぞれ２つに分割されている。
【００１１】
上記のように構成された積層シートにおいては、２枚の支持シート６２０ａ，６２０ｂが折り部６０４にて２つに分割されていることにより、支持シート６２０ａ，６２０ｂの厚さを、積層シート６０１の全体の強度を確保するために十分な程度のものとした場合であっても、筋押し加工を施すことなく折り部６０４にて容易に折り畳むことができる。
【００１２】
ここで、このような積層シート６０１は、折り部６０４にて折り畳んだ場合、図９（ｃ）に示すように、折り畳み状態にて外側となる表面シート６１０ｂと折り畳み状態にて内側となる表面シート６１０ａとの間において、折り部６０４にて支持シート６２０ａ，６２０ｂの厚さによってその周径に差が生じることになる。
【００１３】
そのため、この周径の差によって表面シート６１０ｂの折り部６０４となる領域が伸び、積層シート６０１を折り畳んだ状態から見開いた場合、図９（ｄ）に示すように、上述した周径の差によって伸びた表面シート６１０ｂの折り部６０４にたるみ６０５が生じてしまうという問題点がある。
【００１４】
本発明は、上述したような従来の技術が有する問題点に鑑みてなされたものであって、全体の強度を確保しながらも筋押し加工を施すことなく折り畳み可能に構成され、折り畳まれた状態から見開いた場合に生じるたるみの量を抑制することができる積層シートを提供することを目的とする。
【課題を解決するための手段】
【００１５】
上記目的を達成するために本発明は、
複数枚の支持シートが積層されて貼着され、前記複数枚の支持シートが２枚の表面シートに挟み込まれて貼着され、折り部によって折り畳み可能に構成された積層シートにおいて、
前記複数枚の支持シートは、前記折り部にて２つの領域にそれぞれ分割され、該分割された２つの領域の間隔が、折り畳み状態にて外側となる支持シートの方が折り畳み状態にて内側となる支持シートよりも広いことを特徴とする。
【００１６】
上記のように構成された本発明においては、複数枚積層されて貼着された支持シートが２つの領域に分割された折り部にて折り畳まれる。この際、複数枚の支持シートは、分割された２つの領域の間隔が、折り畳み状態にて外側となる支持シートの方が折り畳み状態にて内側となる支持シートよりも広くなっているため、この複数枚の支持シートを挟み込んで積層された２枚の表面シートのうち折り畳み状態にて外側となる表面シートの、折り畳み状態にて内側となる表面シートに対する周径の差が小さくなり、それにより、折り畳み状態にて外側となる表面シートの伸び量が小さくなり、積層シートを折り畳んだ後に見開いた場合に、折り畳み状態にて外側となる表面シートに生じるたるみの量が抑制される。
【発明の効果】
【００１７】
以上説明したように本発明においては、複数枚積層され、それぞれが２つに分割された支持シートが、分割された２つの領域の間隔が、折り畳み状態にて外側となる支持シートの方が折り畳み状態にて内側となる支持シートよりも広くなっているため、この複数枚の支持シートを挟み込んで積層された２枚の表面シートのうち折り畳み状態にて外側となる表面シートの、折り畳み状態にて内側となる表面シートに対する周径の差が小さくなり、それにより、全体の強度を確保しながらも筋押し加工を施すことなく折り畳み可能に構成され、折り畳まれた状態から見開いた場合に生じるたるみの量を抑制することができる。
【発明を実施するための最良の形態】
【００１８】
以下に、本発明の実施の形態について図面を参照して説明する。
【００１９】
（第１の実施の形態）
図１は、本発明の積層シートとなる音声メッセージ伝達シートの第１の実施の形態を示す図であり、（ａ）は折り畳み状態における内側の面の構成を示す図、（ｂ）は内部構造を示す図、（ｃ）は音声情報記録／再生部３０が挟み込まれた部分の断面図である。
【００２０】
本形態は図１に示すように、第１紙片領域２と第２紙片領域３とが折り部４を介して折り畳み可能に連接して構成されており、音声情報の記録及び再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０が挟まれた支持シート２０ａ，２０ｂが、紙基材等の柔軟性を有し、かつ薄型の基材からなる２枚の表面シート１０ａ，１０ｂに挟み込まれている。なお、表面シート１０ａ，１０ｂ、支持シート２０ａ，２０ｂ及び音声情報記録／再生部３０は、支持シート２０ａ，２０ｂの表裏に塗布された粘着剤５０によって互いに貼着されている。また、第１紙片領域２は、その一部の領域に開口部２ａが形成されており、音声情報記録／再生部３０は、この第１紙片領域２内にて支持シート２０ａ，２０ｂに挟み込まれている。
【００２１】
音声情報記録／再生部３０は、ピエゾ素子４１、振動板４２及びフィルムシート（不図示）からシート状に構成されて音声情報を出力するための音声情報出力部４０と、外部から入力された音声情報が記録されるメモリ領域を具備する薄型のＩＣチップ３４やコンデンサ、抵抗等の回路素子が搭載されるとともに、外部からＩＣチップ３４に音声情報を記録するための接続端子３５を含む導電パターンが形成された音声基板３２と、音声基板３２に形成された導電パターンの一部を導通させるためのスイッチ３３と、音声基板３２に接続され、音声基板３２に電源を供給するための柔軟性を有してなるペーパー電池３１とから構成されており、これにより、音声情報記録／再生部３０は、音声情報の記録及び再生が可能に構成されている。音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、接続端子３５を介して入力された音声情報をメモリ領域に記録し、また、メモリ領域に記録された音声情報を音声情報出力部４０を介して出力する制御を行う。また、スイッチ３３は、ＩＣチップ３４のメモリ領域に記録された音声情報を音声情報出力部４０を介して出力する際に操作されるものである。
【００２２】
また、この音声情報記録／再生部３０を挟み込んでいる２枚の支持シート２０ａ，２０ｂは、折り部４にてそれぞれ２つの領域に分割されており、分割された２つの領域の間隔が、折り畳み状態にて外側となる支持シート２０ｂの間隔ｔ１の方が折り畳み状態にて内側となる支持シート２０ａの間隔ｔ２よりも広くなっている。そして、この間隔の違いによって生じた段差部分においては、支持シート２０ａの一部が表出することになるが、この部分には粘着剤５０は塗布されていない。
【００２３】
図２は、図１に示した音声メッセージ伝達シート１の積層状態を示す図である。
【００２４】
図２に示すように、支持シート２０ａにおいては、音声情報記録／再生部３０と積層された場合に、スイッチ３３、ＩＣチップ３４及び音声情報出力部４０と対向する領域に穴２２，２３，２４ａがそれぞれ形成されており、また、表面シート１０ａの開口部２ａに対向する領域にも開口部２ａと同じ大きさ及び形状の穴２５ａが形成されている。
【００２５】
また、支持シート２０ｂにおいては、音声情報記録／再生部３０と積層された場合に、ペーパー電池３１及び音声情報出力部４０と対向する領域に穴２１，２４ｂがそれぞれ形成されており、また、表面シート１０ａの開口部２ａに対向する領域にも開口部２ａと同じ大きさ及び形状の穴２５ｂが形成されている。
【００２６】
このように、支持シート２０ａの、スイッチ３３、ＩＣチップ３４及び音声情報出力部４０と対向する領域に穴２２，２３，２４ａがそれぞれ形成され、また、支持シート２０ｂの、ペーパー電池３１及び音声情報出力部４０と対向する領域に穴２１，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。この場合、音声情報記録／再生部３０の薄い部分、例えば音声基板３２の部分を支持シート２０ａ，２０ｂにより挟み込むことによって音声基板３２が固定される。また、表面シート１０ａ，１０ｂは、支持シート２０ａ，２０ｂに貼着されているため、音声情報記録／再生部３０に凹凸があった場合でも、押し付けることにより凹むことはあったとしても、インクジェット方式のような押し付ける力がないものであれば平坦な状態を保持できるため印字も可能となる。
【００２７】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２８】
図３（ａ）に示すように、支持シート２０ａのスイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００２９】
また、図３（ｂ）に示すように、支持シート２０ｂのペーパー電池３１と対向する領域に形成された穴２１はペーパー電池３１よりも小さく、また、音声情報出力部４０と対向する領域に形成された穴２４ｂは音声情報出力部４０よりも小さくなっている。
【００３０】
これにより、音声情報記録／再生部３０は、２枚の支持シート２０ａ，２０ｂによって一部のみが表裏から挟み込まれるように積層され、支持シート２０ａ，２０ｂの表裏に塗布された粘着剤５０によって固定されている。
【００３１】
また、２枚の表面シート１０ａ，１０ｂのうち、支持シート２０ａの穴２２，２３を介してスイッチ３３及びＩＣチップ３４と対向する側の表面シート１０ａにおいては、第１紙片領域２において、支持シート２０ａの穴２２を介してスイッチ３３と対向する領域にスイッチ３３を操作するための再生ボタン２ｂが印刷され、また、支持シート２０ａの穴２４ａを介して音声情報出力部４０と対向する領域に、音声情報出力部４０から出力された音声を外部に出力するための微細な穴が羅列されてなる音声出力領域２ｃが形成されている。このように微細な穴が羅列されてなる音声出力領域２ｃが形成されているため、音声情報出力部４０が表裏を表面シート１０ａ，１０ｂで覆われた状態であっても、音声情報出力部４０から出力される音量の低下を補うことができる。なお、音声出力領域２ｃにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、再生ボタン２ｂにおいては、印刷によって表面シート１０ａ上に設けておかず、表面シート１０ａに情報が印刷された後に、スイッチ３３に対向する領域にシールを貼付することによって設けることも考えられる。
【００３２】
また、表面シート１０ａの第２紙片領域３には、折り部４を介して折り畳んだ場合に開口部２ａと対向する領域に、宛先情報が記載されたラベルを貼付したり、宛先情報を印刷あるいは記入したりするための宛先情報表示領域３ａが設けられているとともに、その他の領域に、この音声メッセージ伝達シート１の発送元から発送先に通知すべき情報を印刷あるいは記入するための通知情報表示領域３ｂが設けられている。
【００３３】
また、表面シート１０ｂには、表面シート１０ａの開口部２ａに対向する領域に開口部２ａと同じ大きさ及び形状の開口部２ｄが形成されている。
【００３４】
以下に、上述した音声メッセージ伝達シート１の使用方法について説明する。
【００３５】
上記のように製造された音声メッセージ伝達シート１は、まず、音声基板３２に設けられた接続端子３５が音声入力源に接続され、音声メッセージ伝達シート１の発送元から発送先に伝達したい音声情報が接続端子３５を介してＩＣチップ３４に記録される。
【００３６】
次に、宛先情報表示領域３ａに、ラベルの貼付等によって宛先情報が付与されるとともに、通知情報表示領域３ｂに情報が印刷あるいは記入される。
【００３７】
その後、表面シート１０ａが内側となるように折り部４にて折り畳まれ、音声メッセージ伝達シート１の発送先に発送される。この際、表面シート１０ａの宛先情報表示領域３ａが設けられた第２紙片領域３が第１紙片領域２によって覆われるものの、第１紙片領域２の宛先情報表示領域３ａと対向する領域には開口部２ａが形成されているため、宛先情報表示領域３ａに付与された宛先情報は折り畳み状態であっても外部から視認可能となっている。また、折り部４にて折り畳まれた音声メッセージ伝達シート１は、例えば窓開き封筒に封入されて発送されることが考えられるが、その際、窓開き封筒の窓開き部分から宛先情報表示領域３ａを視認可能とすることになるため、開口部２ａ及び宛先情報表示領域３ａの位置を、窓開き封筒における切手の貼付位置が確保されるような位置に設定することになる。
【００３８】  図４は、図１〜図３に示した音声メッセージ伝達シート１の折り畳み操作による作用を説明するための図であり、（ａ）は図１〜図３に示した音声メッセージ伝達シート１が折り畳まれる前の状態を示す断面図、（ｂ）は図１〜図３に示した音声メッセージ伝達シート１が折り畳まれた状態を示す断面図、（ｃ）は図９に示した積層シート６０１が折り畳まれる前の状態を示す断面図、（ｄ）は図９に示した積層シート６０１が折り畳まれた状態を示す断面図である。なお、図４（ｂ），（ｄ）においては、説明をわかりやすくするために表面シート１０ａ，１０ｂ，６１０ａ，６１０ｂの厚さ成分は図示していない。【００３９】
上述したように、図１〜図３に示した音声メッセージ伝達シート１においては、支持シート２０ａ，２０ｂが折り部４にてそれぞれ２つの領域に分割されており、分割された２つの領域の間隔が、折り畳み状態にて外側となる支持シート２０ｂの間隔の方が折り畳み状態にて内側となる支持シート２０ａの間隔よりも広くなっている。ここで、図４（ａ）に示すように、支持シート２０ａの２つの領域の間隔を２ａとし、また、支持シート２０ａの２つの領域の間隔と支持シート２０ｂの２つの領域の間隔との差を２ｂとする。
【００４０】
この場合、図１〜図３に示した音声メッセージ伝達シート１が折り畳まれる前の状態においては、折り畳み状態にて外側となる表面シート１０ｂの支持シート２０ｂに貼着されていない部分の長さは、（２ａ＋２ｂ）となる。
【００４１】
この状態から音声メッセージ伝達シート１を、表面シート１０ｂが外側になるように折り部４にて折り畳むと、図４（ｂ）に示すように、表面シート１０ｂの支持シート２０ｂに貼着されていない部分の長さは、図中点Ｘから点Ｚを経由して点Ｙまでの長さの２倍となる。点Ｘから点Ｚまでの長さは、支持シート２０ａ，２０ｂの合計した厚さをｔとすると、（ａ2＋（ｔ／２）2）1/2となり、また、点Ｚから点Ｙまでの長さは、（ｂ2＋（ｔ／２）2）1/2となる。これにより、音声メッセージ伝達シート１が、表面シート１０ｂが外側になるように折り部４にて折り畳まれた状態における表面シート１０ｂの支持シート２０ｂに貼着されていない部分の長さは、２｛（ａ2＋（ｔ／２）2）1/2＋（ｂ2＋（ｔ／２）2）1/2｝となる。なお、この際、支持シート２０ａのうち、支持シート２０ａ，２０ｂの段差部分によって表出した部分においては、粘着剤５０が塗布されていないため、この部分に表面シート１０ｂが貼着してしまうことはない。
【００４２】  一方、図９に示した積層シート６０１について、図４（ｃ）に示すように、支持シート６２０ａ，６２０ｂの分割された２つの領域の間隔を２ｃとする。【００４３】  この場合、図９に示した積層シート６０１が折り畳まれる前の状態においては、折り畳み状態にて外側となる表面シート６１０ｂの支持シート６２０ｂに貼着されていない部分の長さは、２ｃとなる。【００４４】
この状態から積層シート６０１を、表面シート６１０ｂが外側になるように折り部６０４にて折り畳むと、図４（ｄ）に示すように、表面シート６１０ｂの支持シート６２０ｂに貼着されていない部分の長さは、図中点Ｘから点Ｙまでの長さの２倍となり、支持シート６２０ａ，６２０ｂの合計した厚さをｔとすると、２（ｃ2＋ｔ2）1/2となる。
【００４５】
図５は、図４に示したそれぞれの状態における折り畳み状態外側となる表面シートの伸び率を説明するための図である。
【００４６】
図４において、ａ＝２（ｍｍ），ｂ＝４（ｍｍ）とすると、図１〜図３に示した音声メッセージ伝達シート１が折り畳まれる前の状態における表面シート１０ｂの支持シート２０ｂに貼着されていない部分の長さは、（２ａ＋２ｂ）＝１２（ｍｍ）となる。また、音声メッセージ伝達シート１が折り部４にて折り畳まれた状態における表面シート１０ｂの支持シート２０ｂに貼着されていない部分の長さは、ｔ＝０．５（ｍｍ）とすると、２｛（ａ2＋（ｔ／２）2）1/2＋（ｂ2＋（ｔ／２）2）1/2｝＝１２．０４７（ｍｍ）となる。
【００４７】
これにより、図１〜図３に示した音声メッセージ伝達シート１の表面シート１０ｂの伸び率は、（１２．０４７／１２）−１＝０．００３９＝０．３９（％）となる。
【００４８】  一方、図４において、ｃ＝４（ｍｍ）とすると、図９に示した積層シート６０１が折り畳まれる前の状態における表面シート６１０ｂの支持シート６２０ｂに貼着されていない部分の長さは、２ｃ＝８（ｍｍ）となる。また、積層シート６０１が折り部６０４にて折り畳まれた状態における表面シート６１０ｂの支持シート６２０ｂに貼着されていない部分の長さは、ｔ＝０．５（ｍｍ）とすると、２（ｃ2＋ｔ2）1/2＝８．０６２（ｍｍ）となる。【００４９】  これにより、図９に示した積層シート６０１の表面シート６１０ｂの伸び率は、（８．０６２／８）−１＝０．００７６＝０．７６（％）となる。【００５０】  このように、図１〜３に示した音声メッセージ伝達シート１及び図９に示した積層シート６０１を折り部４，６０４にて折り畳んだ場合、折り畳み状態にて外側となる表面シート１０ｂ，６１０ｂの伸び率が、図９に示した積層シート６０１よりも図１〜３に示した音声メッセージ伝達シート１の方が小さくなり、それにより、その後、音声メッセージ伝達シート１を見開いた場合に、折り畳み状態にて外側となる表面シート１０ｂに生じるたるみの量が抑制されることになる。【００５１】
なお、上述したような支持シート２０ａ，２０ｂの分割された２つの領域の間隔の値は一例であって、折り畳み状態にて外側となる支持シート２０ｂの方が折り畳み状態にて内側となる支持シート２０ａよりも広ければ適宜設定可能である。ただし、折り畳み状態にて外側となる支持シート２０ｂの２つの領域の間隔が広すぎると製品外観が損なわれ、また、折り畳み状態にて内側となる支持シート２０ａの２つの領域の間隔が狭すぎると折り部４にて皺が発生してしまうことになるため、これらの条件も含めて適宜設定する必要がある。
【００５２】
（第２の実施の形態）
図６は、本発明の積層シートとなる音声メッセージ伝達シートの第２の実施の形態を示す図であり、（ａ）は折り畳み状態における内側の面の構成を示す図、（ｂ）は内部構造を示す図、（ｃ）は音声情報記録／再生部３０が挟み込まれた部分の断面図である。
【００５３】
本形態は図６に示すように、図１に示したものに対して、支持シート２０ｂの表面シート１０ｂと対向する面のうち、２つの領域に分割される部分に沿った領域には粘着剤５０が塗布されておらず、それにより、表面シート１０ｂと支持シート２０ｂとが貼着されていない領域が広がっている点のみが異なるものである。
【００５４】
上記のように構成された音声メッセージ伝達シート１０１においては、折り部４にて折り畳まれた場合に、折り畳み状態にて外側となる表面シート１０ｂのうち支持シート２０ｂと対向していない領域のみが伸びるのではなく、表面シート１０ｂの支持シート２０ｂと対向し、かつ支持シート２０ｂと貼着されていない領域も伸びることになり、それにより、音声メッセージ伝達シート１０１が折り畳まれた場合に表面シート１０ｂの伸びが分散し、その後、音声メッセージ伝達シート１０１が見開かれた場合に、表面シート１０ｂに生じるたるみの量がさらに抑制されることになる。
【００５５】
（第３の実施の形態）
図７は、本発明の積層シートとなる音声メッセージ伝達シートの第３の実施の形態を示す図であり、（ａ）は折り畳み状態における内側の面の構成を示す図、（ｂ）は内部構造を示す図、（ｃ）は音声情報記録／再生部３０が挟み込まれた部分の断面図である。
【００５６】
本形態は図７に示すように、図１に示したものに対して、支持シート２０ａの両面の全面に粘着剤５０が塗布され、支持シート２０ａのうち、支持シート２０ａ，２０ｂの段差部分によって表出した部分に粘着剤５０を介して剥離紙６０が貼着されている点のみが異なるものである。なお、剥離紙６０は、支持シート２０ｂの厚さよりも薄いものである。
【００５７】
このような音声メッセージ伝達シート２０１を作製する場合は、支持シート２０ａ，２０ｂの両面の全面に粘着剤５０を介して剥離紙６０が貼着された状態から剥離紙６０が剥離され、音声情報記録／再生部３０を挟み込んで支持シート２０ａ，２０ｂが互いに貼着されることになるが、支持シート２０ａの支持シート２０ｂとの貼着面に貼着された剥離紙６０に対して、支持シート２０ａが支持シート２０ｂに貼着された場合に段差を生じさせる支持シート２０ｂの縁に沿うようにハーフスリット加工を施しておけば、支持シート２０ａから剥離紙６０を剥離する際に、支持シート２０ａのうち、支持シート２０ｂとの段差部分によって表出した部分のみに剥離紙６０を残存させることができる。
【００５８】
上記のように構成された音声メッセージ伝達シート２０１においては、支持シート２０ａのうち、支持シート２０ａ，２０ｂの段差部分によって表出した部分に剥離紙６０が貼着されているため、この部分が表面シート１０ｂに貼着してしまうことはなく、第１の実施の形態にて示した作用が生じることを妨げてしまうことがない。また、第１の実施の形態にて示したものに対して、支持シート２０ａへの粘着剤５０の塗布領域を精細に規定する必要がない。
【００５９】
なお、本形態においては、支持シート２０ａのうち、支持シート２０ｂとの段差部分によって表出した部分に粘着剤５０を介して剥離紙６０を貼着することにより、表面シート１０ｂが支持シート２０ａの表出した部分と貼着してしまうことを回避しているが、表面シート１０ｂの支持シート２０ｂと対向しない領域に剥離剤を塗布しておくことにより、表面シート１０ｂが支持シート２０ａの表出した部分と貼着してしまうことを回避する構成とすることも考えられる。
【００６０】
また、上述した３つの実施の形態においては、本発明の積層シートとして、２枚の支持シートが音声情報記録／再生部３０を挟み込んで積層されて貼着され、互いに貼着された２枚の支持シートが２枚の表面シートに挟み込まれて貼着された音声メッセージ伝達シートを例に挙げて説明したが、本発明はこれに限らず、３枚以上の支持シートが積層されて貼着され、その支持シートが２枚の表面シートに挟み込まれて貼着された書籍等においても、適宜適用することができる。
【図面の簡単な説明】
【００６１】
【図１】本発明の積層シートとなる音声メッセージ伝達シートの第１の実施の形態を示す図であり、（ａ）は折り畳み状態における内側の面の構成を示す図、（ｂ）は内部構造を示す図、（ｃ）は音声情報記録／再生部が挟み込まれた部分の断面図である。
【図２】図１に示した音声メッセージ伝達シートの積層状態を示す図である。
【図３】図１及び図２に示した支持シートと音声情報記録／再生部とを積層した状態を示す図である。
【図４】図１〜図３に示した音声メッセージ伝達シートの折り畳み操作による作用を説明するための図であり、（ａ）は図１〜図３に示した音声メッセージ伝達シートが折り畳まれる前の状態を示す断面図、（ｂ）は図１〜図３に示した音声メッセージ伝達シートが折り畳まれた状態を示す断面図、（ｃ）は図８に示した積層シートが折り畳まれる前の状態を示す断面図、（ｄ）は図８に示した積層シートが折り畳まれた状態を示す断面図である。
【図５】図４に示したそれぞれの状態における折り畳み状態外側となる表面シートの伸び率を説明するための図である。
【図６】本発明の積層シートとなる音声メッセージ伝達シートの第２の実施の形態を示す図であり、（ａ）は折り畳み状態における内側の面の構成を示す図、（ｂ）は内部構造を示す図、（ｃ）は音声情報記録／再生部が挟み込まれた部分の断面図である。
【図７】本発明の積層シートとなる音声メッセージ伝達シートの第３の実施の形態を示す図であり、（ａ）は折り畳み状態における内側の面の構成を示す図、（ｂ）は内部構造を示す図、（ｃ）は音声情報記録／再生部が挟み込まれた部分の断面図である。
【図８】複数枚のシートが積層され、筋押し加工が施された積層シートの従来例を示す図であり、（ａ）は表面図、（ｂ）は断面図である。
【図９】複数枚のシートが積層され、筋押し加工を施さずに折り畳み可能に構成された積層シートの従来例を示す図であり、（ａ）は表面図、（ｂ）は断面図、（ｃ）は折り畳み状態における断面図、（ｄ）は折り畳み状態から見開いた状態における断面図である。
【符号の説明】
【００６２】
１，１０１，２０１    音声メッセージ伝達シート
２    第１紙片領域
２ａ，２ｂ    開口部
２ｂ    再生ボタン
２ｃ    音声出力領域
３    第２紙片領域
３ａ    宛先情報表示領域
３ｂ    通知情報表示領域
４    折り部
１０ａ，１０ｂ    表面シート
２０ａ，２０ｂ    支持シート
２１，２２，２３，２４ａ，２４ｂ，２５ａ，２５ｂ    穴
３０    音声情報記録／再生部
３１    ペーパー電池
３２    音声基板
３３    スイッチ
３４    ＩＣチップ
３５    接続端子
４０    音声情報出力部
４１    ピエゾ素子
４２    振動板
５０    粘着剤
６０    剥離紙
【図１】
0004728821.tif 000002
【図２】
0004728821.tif 000003
【図３】
0004728821.tif 000004
【図４】
0004728821.tif 000005
【図５】
0004728821.tif 000006
【図６】
0004728821.tif 000007
【図７】
0004728821.tif 000008
【図８】
0004728821.tif 000009
【図９】
0004728821.tif 000010